(57)【要約】【課題】価格変動型景品を等価交換する。【解決手段】遊技者が遊技で獲得した遊技媒体数量を計数手段が計数するステップと、  該遊技場の遊技媒体単価を記憶装置が記憶する第１の記憶するステップと、該記憶装置から読出した該遊技媒体単価と該遊技媒体数量とに基づいて演算手段が該遊技媒体数量の合計金額を演算する第１の演算するステップ、相場価格と連動して該景品代金が変化する景品の相場価格に対応した景品単価を記憶装置が記憶する第２の記憶するステップと、  該合計金額と該景品単価とに基づいて景品個数と余り金額とを演算手段が演算する第２の演算するステップと、この演算結果を遊技場の出力手段が出力するステップとを備える。【選択図】図１
2006271582.tif 000002
【特許請求の範囲】
【請求項１】
遊技者が遊技で獲得した遊技媒体数量を計数手段が計数するステップと、
遊技場の遊技媒体単価を記憶装置が記憶する第１の記憶するステップと、
該記憶装置から読出した該遊技媒体単価と該遊技媒体数量とに基づいて演算手段が該遊技媒体数量の合計金額を演算する第１の演算するステップと、
相場価格と連動して該景品代金が変化する景品の相場価格に対応した景品単価を記憶装置が記憶する第２の記憶するステップと、
該合計金額と該景品単価とに基づいて景品個数と余り金額とを演算手段が演算する第２の演算するステップと、
この演算結果を遊技場の出力手段が出力するステップと、
を備えたことを特徴とするコンピュータが読み取り可能な景品交換プログラム。
【請求項２】
更に、前記合計金額に、該合計金額の識別子と、該合計金額を演算した遊技場を識別する遊技場識別子とを付加して遊技場に配置された処理装置が遊技場を管理する管理センターに送信するステップを備え、
前記第２の記憶するステップが、
商品取引所で決定された商品の相場価格を商品取引所側に配置された記憶装置に記憶する第３の記憶するステップと、該管理センター側に配置された処理装置が該記憶装置にアクセスして該相場価格を該記憶装置から読出すステップと、該読出した相場価格に対応した景品単価を該管理センター側に配置された記憶装置に記憶するステップとを備え、
前記第２の演算するステップが、
該合計金額と該景品単価に基づいて景品個数と余り金額とを管理センターに配置された演算手段が演算するステップを備え、
更に、該景品個数および該余り金額に、該合計金額の識別子と該遊技場識別子とを付加して管理センターに配置された処理装置が該遊技場識別子で識別される遊技場に送信するステップと、
を備える請求項１に記載の景品交換プログラム。
【請求項３】
前記第２の記憶するステップが、
商品取引所で決定された商品の相場価格を商品取引所側に配置された記憶装置に記憶する第３の記憶するステップと、前記遊技場側に配置された処理装置が該記憶装置にアクセスして該相場価格を該記憶装置から読出すステップと、該読出した相場価格に対応した景品単価を該遊技場側に配置された記憶装置に記憶するステップとを備え、
前記第２の演算するステップが、
該合計金額と該景品単価に基づいて景品個数と余り金額とを該遊技場に配置された演算手段が演算するステップを備える
請求項１に記載の景品交換プログラム。
【請求項４】
遊技場に配置された処理装置が、該景品個数と該余り金額を受信するステップと、
該処理装置が、該余り金額を前記遊技媒体単価で除算して余り遊技媒体数を演算するステップを更に備える請求項２に記載の景品交換プログラム。
【請求項５】
前記遊技媒体数量に、該遊技媒体数量の識別子と、該遊技媒体数量を計数した遊技場を識別する遊技場識別子とを付加して遊技場に配置された処理装置が管理センターに送信する送信するステップを更に備え、
前記第１の記憶するステップが、
管理センターに配置された記憶装置が前記遊技媒体単価を記憶するステップを備え、
前記第１の演算するステップが、
管理センターに配置された処理装置が該遊技媒体数量と該遊技媒体単価とに基づいて前記合計金額を演算するステップを備え、
前記第２の記憶するステップが、
商品取引所で決定された商品の相場価格を商品取引所側に配置された記憶装置に記憶する第３の記憶するステップと、該管理センター側に配置された処理装置が該記憶装置にアクセスして該相場価格を該記憶装置から読出すステップと、該読出した相場価格に対応した景品単価を該管理センター側に配置された記憶装置に記憶するステップとを備え、
前記第２の演算するステップが、
該合計金額と該景品単価に基づいて景品個数と余り金額とを管理センターに配置された演算手段が演算するステップを備え、
更に、該景品個数および該余り金額に、該遊技媒体数量の識別子と該遊技場識別子とを付加して管理センターに配置された処理装置が該遊技場識別子で識別される遊技場に送信するステップと、
を備える請求項１に記載の景品交換プログラム。
【請求項６】
遊技場に配置された処理装置が、該景品個数と該余り金額を受信するステップと、
該処理装置が、該余り金額を前記遊技媒体単価で除算して余り遊技媒体数を演算するステップを更に備える請求項５に記載の景品交換プログラム。
【請求項７】
遊技者が遊技場で獲得した遊技媒体数量を計数する計数機と、
該遊技媒体数量と遊技媒体単価とに基づいて合計金額を演算する演算装置と、
相場価格と連動して景品代金が変化する景品の相場価格に応じた景品単価を記憶する記憶手段と、
該合計金額と該景品単価とに基づいて景品個数と余り金額とを演算し、この演算結果を出力する演算処理装置と、
を備えたことを特徴とする景品交換システム。
【発明の詳細な説明】
【技術分野】
【０００１】
本発明、パチンコ店等の遊技場での景品交換システムに関し、特に景品代金が相場価格等により変動する価格変動型景品の景品交換システムに関するものである。
【背景技術】
【０００２】
従来、遊技場では、遊技者が獲得したパチンコ玉やメダル等の遊技媒体をガムやタバコのように景品代金が一定した一般的な景品（以下、一般景品と言う）と等価交換している。
更に、近年は、金地金商品等のように価格が相場価格により日々変化する景品も景品として採用されている。
【０００３】
しかし、この価格変動型景品の景品代金を市場価格関に連動させ決定する景品交換システムは存在せず、これらの価格変動型景品の景品代金は各遊技場で一定価格に設定されている。しかし、この価格変動型景品の景品代金は、一般に市場価格より遥かに高価に設定され、一般景品と比較して著しく景品交換レートが不公平である不都合がある。
【特許文献１】特許公開２００４−２９０４９５
【発明の開示】
【発明が解決しようとする課題】
【０００４】
本発明の解決しようとする課題は、価格変動型景品の景品代金を市場価格と連動して決定することができ、価格変動型景品を一般景品と同様に遊技媒体と等価交換できる景品交換プログラムおよびシステムを提供する点である。
【課題を解決するための手段】
【０００５】
本発明は、遊技者が遊技で獲得した遊技媒体数量を計数手段が計数するステップと、
遊技場の遊技媒体単価を記憶装置が記憶する第１の記憶するステップと、
該記憶装置から読出した該遊技媒体単価と該遊技媒体数量とに基づいて演算手段が該遊技媒体数量の合計金額を演算する第１の演算するステップと、
相場価格と連動して該景品代金が変化する景品の相場価格に対応した景品単価を記憶装置が記憶する第２の記憶するステップと、
該合計金額と該景品単価とに基づいて景品個数と余り金額とを演算手段が演算する第２の演算するステップと、
この演算結果を遊技場の出力手段が出力するステップと、
を備えたことを特徴とする取り可能な景品交換プログラムを特徴とする。
【０００６】
更に、前記合計金額に、該合計金額の識別子と、該合計金額を演算した遊技場を識別する遊技場識別子とを付加して遊技場に配置された処理装置が遊技場を管理する管理センターに送信するステップを備え、
前記第２の記憶するステップが、
商品取引所で決定された商品の相場価格を商品取引所側に配置された記憶装置に記憶する第３の記憶するステップと、該管理センター側に配置された処理装置が該記憶装置にアクセスして該相場価格を該記憶装置から読出すステップと、該読出した相場価格に対応した景品単価を該管理センター側に配置された記憶装置に記憶するステップとを備え、
前記第２の演算するステップが、
該合計金額と該景品単価に基づいて景品個数と余り金額とを管理センターに配置された演算手段が演算するステップを備え、
更に、該景品個数および該余り金額に、該合計金額の識別子と該遊技場識別子とを付加して管理センターに配置された処理装置が該遊技場識別子で識別される遊技場に送信するステップと、
を備えることを特徴とする。
【０００７】
更に、前記第２の記憶するステップが、
商品取引所で決定された商品の相場価格を商品取引所側に配置された記憶装置に記憶する第３の記憶するステップと、前記遊技場側に配置された処理装置が該記憶装置にアクセスして該相場価格を該記憶装置から読出すステップと、該読出した相場価格に対応した景品単価を該遊技場側に配置された記憶装置に記憶するステップとを備え、
前記第２の演算するステップが、
該合計金額と該景品単価に基づいて景品個数と余り金額とを該遊技場に配置された演算手段が演算するステップを備えることを特徴とする。
【０００８】
更に、遊技場に配置された処理装置が、該景品個数と該余り金額を受信するステップと、
該処理装置が、該余り金額を前記遊技媒体単価で除算して余り遊技媒体数を演算するステップを更に備えることを特徴とする。
【０００９】
更に、前記遊技媒体数量に、該遊技媒体数量の識別子と、該遊技媒体数量を計数した遊技場を識別する遊技場識別子とを付加して遊技場に配置された処理装置が管理センターに送信する送信するステップを更に備え、
前記第１の記憶するステップが、
管理センターに配置された記憶装置が前記遊技媒体単価を記憶するステップを備え、
前記第１の演算するステップが、
管理センターに配置された処理装置が該遊技媒体数量と該遊技媒体単価とに基づいて前記合計金額を演算するステップを備え、
前記第２の記憶するステップが、
商品取引所で決定された商品の相場価格を商品取引所側に配置された記憶装置に記憶する第３の記憶するステップと、該管理センター側に配置された処理装置が該記憶装置にアクセスして該相場価格を該記憶装置から読出すステップと、該読出した相場価格に対応した景品単価を該管理センター側に配置された記憶装置に記憶するステップとを備え、
前記第２の演算するステップが、
該合計金額と該景品単価に基づいて景品個数と余り金額とを管理センターに配置された演算手段が演算するステップを備え、
更に、該景品個数および該余り金額に、該遊技媒体数量の識別子と該遊技場識別子とを付加して管理センターに配置された処理装置が該遊技場識別子で識別される遊技場に送信するステップと、
を備えることを特徴とする。
【００１０】
さらに、本発明は、遊技場に配置された処理装置が、該景品個数と該余り金額を受信するステップと、
該処理装置が、該余り金額を前記遊技媒体単価で除算して余り遊技媒体数を演算するステップを更に備えることを特徴とする。
【００１１】
また、遊技者が遊技場で獲得した遊技媒体数量を計数する計数機と、
該遊技媒体数量と遊技媒体単価とに基づいて合計金額を演算する演算装置と、
相場価格と連動して景品代金が変化する景品の相場価格に応じた景品単価を記憶する記憶手段と、
該合計金額と該景品単価とに基づいて景品個数と余り金額とを演算し、この演算結果を出力する演算処理装置と、
を備えたことを特徴とする景品交換システムを特徴とする。
【発明の効果】
【００１２】
本発明は、金地金商品の様な商品価格が市場価格と連動して変化する価格変動型景品の景品代金を市場価格と連動して決定することができ、該価格変動型景品を遊技媒体と等価交換でき、価格変動型景品を一般景品と同様に交換でき、遊技者との不公平を取り除くことができ、従来システムに比較して著しく優れた利点を発揮する。
【発明を実施するための最良の形態】
【００１３】
本発明の実施の形態を図面に基づいて説明する。
【第１の実施の形態】
【００１４】
図１は、本発明第１の実施の形態の要部ブロック図を示す。
図中１は、パチンコ店等の遊技場を示し、２は東京工業品取引所等の金市場を示し、３は各店舗を管理する管理センターを示す。
各々の遊技場１は、演算処理装置５を備え、該演算処理装置５には記憶装置６、通信装置７、入力装置８、印刷装置９、表示装置１０、計数機１１および景品自動払出機１２がそれぞれ接続されている。更に、該通信装置７はネットワーク１５に接続されている。
このネットワーク１５には、金市場２の通信装置１６が接続され、該通信装置１６に演算処理装置１７が接続され、該演算処理装置１７には記憶装置１８が接続されている。
また、ネットワーク１５には、管理センター３の通信装置２０が接続され、該通信装置２０に演算処理装置２１が接続され、該演算処理装置２１には記憶装置２２が接続されている。
【００１５】
図２は、図１の遊技場１に対応した要部構成図を示す。
図２で図１と同一の符合はそれぞれ図１と同一のものを示す。  
図２中、２４は遊技媒体、２５は景品をそれぞれ示す。
本実施の形態では遊技媒体２４がパチンコ玉であり、景品２５が価格変動型景品である金地金商品の場合を説明する。
【００１６】
この様な構成において、本発明一実施の形態の特徴ある動作を説明する。
まず、本システムの立ち上がり時および金市場の終了時に、管理センター３が金市場２から金価格データを受取り、金価格を更新する処理を説明する。
図３は、管理センター３が金市場２から現在の金価格を読出すための処理フローを示す。また、図３中、（ａ）は金相場データを示す。
【００１７】
管理センター３では、システムの立上がり時に、記憶装置２２に保持された該処理フログラムが、演算処理装置２１により読出され、金相場データの更新処理が開始される（ステップＳ１）。演算装置２１は、自己のアドレス、パスワード、アクセス先アドレス等を通信装置２０から金市場２に送信し、通信装置２０がネットワーク１５を介して金市場２の通信装置１６と接続され（ステップＳ２）、この金市場２と通信が確立された状態で管理センター３の演算処理装置２１は、前営業日終値の金価格を問い合わせる命令を金市場２の演算処理装置１７に出力する（ステップＳ３）。金市場２の演算処理装置１７は、この命令に応答して記憶装置１８から前営業日終値の金価格を読出し通信装置１６、ネットワーク１５、通信装置２０を介して演算処理装置２１に前営業日終値の金価格を返信する（ステップＳ４）。管理センター３は、受信した金価格により記憶装置２２に保持されている金相場データ（ａ）の最新金価格を更新する（ステップＳ５）。
【００１８】
管理センター３は、その後は午前０時まで待機状態となり（ステップＳ６のＮＯ、ステップＳ７のＮＯ）、午前０時になると上述のステップＳ２からステップＳ５の動作を行いの前営業日終値の金価格で金相場データ（ａ）を更新して処理を終了する（ステップＳ６のＮＯ，Ｓ７のＹＥＳ，Ｓ２〜Ｓ５，Ｓ６のＹＥＳ）。
従って、金市場が閉鎖される日の金価格は、前日の金価格の終わり値が閉鎖日の金価格として使用される。
【００１９】
次に、遊技場１が、管理センター３に景品交換のための合計金額を送信する処理を説明する。
図４は、管理センター３に景品交換のための合計金額を送信する処理フローを示す。また、図４中、（ｂ）は遊技媒体単価データを示し、（ｃ）は合計金額データを示す。
遊技場１の計数機１１は、遊技者が景品交換する遊技媒体２４の数量（出玉数）を計数する（ステップＳ１０、Ｓ１１）。この計数機１１からの数量が演算処理装置５に送信される（ステップＳ１２）。
演算処理装置５は、記憶装置６に記憶された該処理プログラムを読出し、景品交換合計金額の送信処理が開始される（ステップＳ１３）。演算処理装置５は、予め店舗側で設定して記憶装置６に記憶した遊技媒体単価データ（ｂ）を読出し（ステップＳ１４）、この遊技媒体単価データと該遊技媒体の数量とを乗算して金額合計を算出し（ステップＳ１５）、通信装置７、ネットワーク１５を介して合計金額データ（ｃ）を管理センター３に送信する（ステップＳ１６）。
合計金額データ（ｃ）には、日時、該合計金額データを特定するために識別子（ＩＤ）、送信元遊技場を特定するための遊技場識別子（ホールコード）および合計金額が含まれている。
【００２０】
次に、管理センター３が、景品個数を演算して遊技場１に景品換算データを送信する処理を説明する。
図５は、管理センター３が、受信した合計金額（ｃ）と金相場データ（ａ）とにより景品換算データを作成して遊技場１に送信する処理フローを示す。
また、図５中、（ｄ）は景品換算データを示す。
【００２１】
管理センター３の通信装置２０が上記合計金額データ（ｃ）を受信すると、演算処理装置２１が合計金額データ（ｃ）を記憶装置２２に記憶させ、更に記憶装置２２から該景品換算データ送信処理プログラムを呼出し、該景品個数を演算して遊技場１に景品換算データを送信する処理が開始される（ステップＳ１８）。
演算処理装置２１は、記憶装置２２から合計金額データ（ｃ）を読出して合計金額を読取り（ステップＳ１９）、さらに記憶装置２２から金相場データ（ａ）を読出して金の１グラム当りの金単価を読取る（ステップＳ２０）。演算処理装置２１は、該合計金額を該金単価で除算し、金地金の１グラム景品数量と余り金額を算出する（ステップＳ２１）。更に、演算処理装置２１は、金の０．３グラム当りの金単価を演算し、０．３グラム金単価で余り金額で除算し、金地金の０．３グラム景品数量と余り金額を算出する（ステップＳ２２）。
演算処理装置２１は、合計金額を読取った合計金額データ（ｃ）から合計金額の識別子（ＩＤ），遊技場識別子（ホールコード）を読取り、更に日時を書込み、これに上記の算出した１グラム景品数量、０．３グラム景品数量および余り金額を付加して景品換算データ（ｄ）とし、この景品換算データ（ｄ）を該ホールコードで示された遊技場１に通信装置２０、ネットワーク１５を介して送信する（ステップＳ２３）。
【００２２】
次に、遊技場１での景品交換処理を説明する。
図６は、遊技場１が、受信した景品換算データにより景品交換を行う処理フローを示す。
遊技場１の通信装置７が上記景品換算データ（ｄ）を受信すると、演算処理装置５が景品換算データ（ｄ）を記憶装置６に記憶させ、更に記憶装置６から該景品交換処理プログラムを呼出し、景品交換処理が開始される（ステップＳ２６）。
演算処理装置５は、景品交換データ（ｄ）の余り金額を読取り、更に記憶装置６から遊技媒体単価データ（ｂ）の玉単価を読取り、余り金額を玉単価で除算して余り遊技媒体数量に変換する（ステップＳ２７）。演算処理装置５は、景品交換データ（ｄ）の１グラム景品数量、０．３グラム景品数量および上記余り遊技媒体数量を印字装置９に送信して印字させ、更に表示装置１０にも表示させる（ステップＳ２８）。この印字内容により遊技者が景品交換を行う。
【００２３】
この景品交換処理の変形例の処理フローを図７に示す。
遊技場１の通信装置７が上記景品換算データ（ｄ）を受信すると、演算処理装置５が景品換算データ（ｄ）を記憶装置６に記憶させ、更に記憶装置６から景品交換処理プログラムを呼出し、景品交換処理が開始される（ステップＳ３０）。
演算処理装置５は、景品交換データ（ｄ）の１グラム景品数量、０．３グラム景品数量を景品自動払出機１２に送信する（ステップＳ３１）。景品自動払出機１２は、受信した数量の景品を払出す（ステップＳ３２）。
ここで、景品払出機は、公知の払出機でよく、払出機には、予め金地金１グラムをパケージした１グラム景品と、金地金０．３グラムをパケージした０．３グラム景品が所定の場所に収納され、受信した数量に応じて該収納場所に払出アームが移動して該数量の景品を払出す。
演算処理装置５は、景品交換データ（ｄ）の余り金額を読取り、更に記憶装置６から遊技媒体単価データ（ｂ）の玉単価を読取り、余り金額を玉単価で除算して余り金額を余り遊技媒体数量（本実施の形態では、パチンコ玉数）に変換する（ステップＳ３３）。演算処理装置５は、景品交換データ（ｄ）の１グラム景品数量、０．３グラム景品数量および上記余り遊技媒体数量を印字装置９および表示装置１０にそれぞれ送信して、印字および表示させる（ステップＳ３４）。この印字内容により遊技者が景品交換量を確認する。
【００２４】
ここで、上述の如く、本願発明は金地金商品のように景品代金が市場価格に従って変動する価格変動型景品を市場価格に応じて一般景品と同様に遊技媒体と等価交換でき、景品の不公平性、不透明性を著しく改善でき、遊技場の景品交換の信頼性を著しく向上することができる。
【第２の実施の形態】
【００２５】
次に、本発明第２の実施の形態を説明する。
この第２の実施の形態は、第１の実施の形態と比較すると、各遊技場１から遊技媒体数量を管理センター３に送信し、管理センター３が合計金額を演算し、景品換算データを遊技場に送信する点を特徴とする。
本第２の実施の形態でも、図１乃至図３を用いて説明した点は第１の実施の形態と同一であり、説明の繰り返しとなるので説明を省略する。
【００２６】
この第２の実施の形態の特徴である、各遊技場１から遊技媒体数量を管理センター３に送信する処理を説明する。
図８は、各遊技場１から管理センター３に数量データを送信する処理フローを示す。また、図８中、（ｅ）は数量データを示す。
遊技場１の計数機１１は、遊技者が景品交換する遊技媒体２４の数量（出玉数）を計数する（ステップＳ３７、Ｓ３８）。この計数機１１からの遊技媒体数量が演算処理装置５に送信される（ステップＳ３９）。
演算処理装置５は、遊技媒体数量を受信すると、記憶装置６に記憶された該処理プログラムを読出し、数量データの送信処理が開始される（ステップＳ４０）。演算処理装置５は、通信装置７、ネットワーク１５を介してこの遊技媒体数量に基づいた数量データ（ｅ）を管理センター３に送信する（ステップＳ４１）。
数量データ（ｅ）には、日時、該技媒体数量の識別子（ＩＤ）、送信元遊技場を特定するための遊技場識別子（ホールコード）および遊技媒体数量が含まれている。
【００２７】
次に、管理センター３が、景品個数を演算して遊技場１に景品換算データを送信する処理を説明する。
図９は、管理センター３が、受信した数量データ（ｅ）に対応した景品換算データを作成して遊技場１に送信する処理フローを示す。
また、図９中、（ｂ２）は遊技媒体単価データを示し、（ｄ２）は景品換算データを示す。
【００２８】
管理センター３の通信装置２０が上記数量データ（ｅ）を受信すると、演算処理装置２１が数量データ（ｅ）を記憶装置２２に記憶させ、更に記憶装置２２から該景品換算データ送信処理プログラムを呼出し、該景品個数を演算して遊技場１に景品換算データを送信する処理が開始される（ステップＳ４２）。演算処理装置２１は記憶装置２２から数量データ（ｅ）を読出して遊技媒体数量を読取る（ステップＳ４３）。
【００２９】
第２の実施の形態では、各店舗毎に設定された遊技媒体単価データが、予め遊技媒体１から管理センター３に送信され、記憶装置２２に遊技媒体媒体単価データ（ｂ２）が記憶されており、演算処理装置２１は記憶装置２２からこの遊技媒体単価データ（ｂ）を読出し、玉単価を読取る（ステップＳ４４）。更に、演算処理装置２１は、この玉単価と遊技媒体数量を乗算して、合計金額を算出する（ステップＳ４５）。
さらに、記憶装置２２から金相場データ（ａ）を読出して金の１グラム当りの金単価を読取る（ステップＳ４６）。演算処理装置２１は、該合計金額を該金単価で除算し、金地金の１グラム景品数量と余り金額を算出する（ステップＳ４７）。更に、演算処理装置２１は、金の０．３グラム当りの金単価を演算し、０．３グラム金単価で余り金額で除算し、金地金の０．３グラム景品数量と余り金額を算出する（ステップＳ４８）。さらに、演算処理装置２１は、余り金額を玉単価で除算して余り遊技媒体数量を算出する（ステップＳ４９）。演算処理装置２１は、遊技媒体数量を読取った数量データ（ｅ）から遊技媒体数量の識別子（ＩＤ）、遊技場識別子（ホールコード）を読取り、更に日時を書込み、これに上記の算出した１グラム景品数量、０．３グラム景品数量および余り遊技媒体数量を付加して景品換算データ（ｄ２）とし、この景品換算データ（ｄ２）を該ホールコードで示された遊技場１に通信装置２０、ネットワーク１５を介して送信する（ステップＳ５０）。
【００３０】
次に、遊技場１での景品交換処理を説明する。
図１０は、遊技場１が、受信した景品換算データにより景品交換を行う処理フローを示す。
【００３１】
遊技場１の通信装置７が上記景品換算データ（ｄ２）を管理センター３から受信すると、演算処理装置５が景品換算データ（ｄ２）を記憶装置６に記憶させ、更に記憶装置６から該景品交換処理プログラムを呼出し、景品交換処理が開始される（ステップＳ５１）。
演算処理装置５は、景品交換データ（ｄ２）の１グラム景品数量、０．３グラム景品数量および上記余り遊技媒体数量を印字装置９に送信して印字させ、更に表示装置１０にも表示させる（ステップＳ５２）。この印字内容により遊技者が景品交換を行う。
【００３２】
この第２の実施の態様においても、本願発明は金地金商品のように景品代金が市場価格に従って変動する価格変動型景品を市場価格に応じて一般景品と同様に遊技媒体と等価交換でき、景品の不公平性、不透明性を著しく改善でき、遊技場の景品交換の信頼性を著しく向上することができる。
【第３の実施の形態】
【００３３】
次に、本発明第３の実施の形態を説明する。
この第３の実施の形態は、第１の実施の形態と比較すると、各遊技場１が金市場から金相場データを受信し、このデータにより各遊技場が景品換算データを作成する点を特徴とする。
【００３４】
この第３の実施の形態の特徴ある処理を説明する。
図１１は、遊技場１が金市場２から現在の金価格を読出すための処理フローを示す。
遊技場１では、システムの立上がり時に、記憶装置６に保持された該処理フログラムが、演算処理装置５により読出され、金相場データ（ａ）の更新処理が開始される（ステップＳ６１）。演算装置５は、自己のアドレス、パスワード、アクセス先アドレス等を通信装置７から金市場２に送信し、通信装置７がネットワーク１５を介して金市場２の通信装置１６と接続され（ステップＳ６２）、この金市場２と通信が確立された状態で遊技場１の演算処理装置５は、前営業日終値の金価格を問い合わせる命令を金市場２の演算処理装置１７に出力する（ステップＳ６３）。金市場２の演算処理装置１７は、この命令に応答して記憶装置１８から前営業日終値の金価格を読出し通信装置１６、ネットワーク１５、通信装置７を介して演算処理装置５に前営業日終値の金価格を返信する（ステップＳ６４）。遊技場１は、受信した金価格により記憶装置６に保持されている金相場データ（ａ）を更新する（ステップＳ６５）。
【００３５】
遊技場１は、その後は午前０時まで待機状態となり（ステップＳ６６のＮＯ、ステップＳ６７のＮＯ）、午前０時になると上述のステップＳ６２からステップＳ６５の動作を行い前営業日終値の金価格で金相場データ（ａ）を更新して処理を終了する（ステップＳ６６のＮＯ，Ｓ６７のＹＥＳ，Ｓ６２〜Ｓ６５，Ｓ６６のＹＥＳ）。
従って、金市場が閉鎖される日の金価格は、前日の金価格の終わり値が閉鎖日の金価格として使用される。
【００３６】
次に、第３の実施の形態での、景品交換処理を説明する。
図１２は、遊技場１における景品交換処理の処理フローを示す。
遊技場１の計数機１１は、遊技者が景品交換する遊技媒体２４の数量（出玉数）を計数する（ステップＳ７０、Ｓ７１）。この計数機１１からの数量が演算処理装置５に送信される（ステップＳ７２）。
演算処理装置５は、記憶装置６に記憶された該処理プログラムを読出し、景品交換の処理が開始される（ステップＳ７３）。演算処理装置５は、予め店舗側で設定して記憶装置６に記憶した遊技媒体単価データ（ｂ）を読出し（ステップＳ７４）、この遊技媒体単価データと該遊技媒体の数量とを乗算して金額合計を算出する（ステップ７５）。
【００３７】
次に、演算処理装置５は、記憶装置６から金相場データ（ａ）を読出して金の１グラム当りの金単価を読取る（ステップＳ７６）。演算処理装置５は、該合計金額を該金単価で除算し、金地金の１グラム景品数量と余り金額を算出する（ステップＳ７７）。更に、演算処理装置５は、金の０．３グラム当りの金単価を演算し、０．３グラム金単価で余り金額で除算し、金地金の０．３グラム景品数量と余り金額を算出する（ステップＳ７８）。
演算処理装置５は、余り金額を玉単価で除算して余り遊技媒体数量に変換する（ステップＳ７９）。演算処理装置５は、１グラム景品数量、０．３グラム景品数量および上記余り遊技媒体数量を印字装置９に送信して印字させ、更に表示装置１０にも表示させる（ステップＳ８０）。この印字内容により遊技者が景品交換を行う。
【００３８】
この第３の実施の態様においても、本願発明は金地金商品のように景品代金が市場価格に従って変動する価格変動型景品を市場価格に応じて一般景品と同様に遊技媒体と等価交換でき、景品の不公平性、不透明性を著しく改善でき、遊技場の景品交換の信頼性を著しく向上することができる。
【図面の簡単な説明】
【００３９】
【図１】図１は、本発明一実施の形態の要部ブロック図。
【図２】図１の遊技場１に対応した要部構成図。
【図３】管理センター３が金市場２から現在の金価格を読出すための処理フロー。
【図４】管理センター３に景品交換のための合計金額を送信する処理フローを示す。
【図５】管理センター３が、受信した合計金額と金相場データとにより景品換算データを作成して遊技場１に送信する処理フロー。
【図６】遊技場１が、受信した景品換算データにより景品交換を行う処理フロー。
【図７】景品交換処理の変形例の処理フロー。
【図８】各遊技場１から管理センター３に数量データ（ｅ）を送信する第２の実施の形態の処理フロー。
【図９】管理センター３が、受信した数量データ（ｅ）と金相場データ（ａ）とにより景品換算データを作成して遊技場１に送信する第２の実施の形態の処理フロー。
【図１０】遊技場１が、受信した景品換算データにより景品交換を行う第２の実施の形態の処理フロー。
【図１１】遊技場１が金市場２から現在の金価格を読出すための処理フロー。
【図１２】遊技場１における景品交換処理の処理フロー。
【符号の説明】
【００４０】
１    遊技場、
２    金市場
３    管理センター
５、１７、２１      演算処理装置
６、１８、２２      記憶装置
７、１６、２０      通信装置
８    入力装置
９    印刷装置
１０  表示装置
１１  計数機
１２  景品自動払出機
１５  ネットワーク
２４  遊技媒体
２５  景品
【図１】
2006271582.tif 000003
【図２】
2006271582.tif 000004
【図３】
2006271582.tif 000005
【図４】
2006271582.tif 000006
【図５】
2006271582.tif 000007
【図６】
2006271582.tif 000008
【図７】
2006271582.tif 000009
【図８】
2006271582.tif 000010
【図９】
2006271582.tif 000011
【図１０】
2006271582.tif 000012
【図１１】
2006271582.tif 000013
【図１２】
2006271582.tif 000014